(57)【要約】【課題】水受槽の異常振動を確実に検知して停止する洗濯機を提供する。【解決手段】洗濯兼脱水槽４を回転自在に内包し、本体１より防振機構３にて垂下防振支持された有底円筒状の水受槽２と、本体１上部に設け水受槽２の振動を検知する振動検知手段とを備え、振動検知手段は、電気接点部と、電気接点部を内包するスイッチケース１１と、電気接点部を入り切りするスイッチレバー８と、スイッチレバー８に設けた球面部１４と、球面部１４と摺動しスイッチケース１１に設けた球面状の受け部１５とを有し、スイッチレバー８は、水受槽２の外周上部に設けたレバー操作部１７によって回動されることにより電気接点部を入り切りするようにしたことにより、水受槽２が所定値を超える振動を発生して多方向からスイッチレバー８を押しても、確実に検知して脱水を停止することができ、高い安全性を確保できる。【選択図】図１
2014064648.tif 000002
【特許請求の範囲】
【請求項１】
本体と、洗濯物を収容する洗濯兼脱水槽と、前記洗濯兼脱水槽を回転自在に内包し、前記本体より防振機構にて垂下防振支持された有底円筒状の水受槽と、前記本体上部に設け前記水受槽の振動を検知する振動検知手段とを備え、前記振動検知手段は、電気接点部と、前記電気接点部を内包するスイッチケースと、前記電気接点部を入り切りするスイッチレバーと、前記スイッチレバーに設けた球面部と、前記球面部と摺動し前記スイッチケースに設けた球面状の受け部とを有し、前記スイッチレバーは、前記水受槽の外周上部に設けたレバー操作部によって回動されることにより前記電気接点部を入り切りするようにした洗濯機。
【請求項２】
前記レバー操作部は、前記水受槽の外周上部で前記スイッチレバーの周囲に設けた請求項１に記載の洗濯機。
【請求項３】
前記スイッチレバーは、前記レバー操作部が当接する当接部材を前記スイッチレバーと弾性部材で結合した請求項１または２に記載の洗濯機。
【請求項４】
前記スイッチレバーには、前記レバー操作部が当接する緩衝部材を設けた請求項１〜３のいずれか１項に記載の洗濯機。
【発明の詳細な説明】
【技術分野】
【０００１】
本発明は、本体内部に防振支持された水受槽が揺動する際の異常振動を検知する洗濯機に関するものである。
【背景技術】
【０００２】
従来、この種の洗濯機は、防振支持された水受槽が設定を超えて揺動した時に、振動検知手段が作動して動作を停止する構成が提案されている。（例えば、特許文献１参照）。
【０００３】
図５は、特許文献１に記載された従来の洗濯機の振動検知手段の平面図と縦断面図である。
【０００４】
図５において、振動検知スイッチ本体５１は、洗濯機本体の枠体５２に取り付けてある。洗濯機本体内に防振機構（図示せず）により垂下防振支持された水受槽５３の異常振動を検知して振動検知スイッチ本体５１を作動させる下方突出レバー５４は、振動検知スイッチ本体５１の回転支持点５５で回転自在に支持されている。
【０００５】
この下方突出レバー５４の回転支持点５５の上方端には、スイッチ接点板５６，５７の開閉操作をする開閉レバー部５８を併設している。スイッチ接点板５６，５７は、開閉レバー部５８を挟んで開閉レバー部５８の可動方向に並行に設けている。
【０００６】
なお、振動検知スイッチ本体５１と下方突出レバー５４との間には、下方突出レバー５４を静止位置に戻す復帰スプリング５９が設けてある。
【０００７】
以上の構成にて、脱水運転時に、洗濯機本体内の水受槽５３が大きく異常振動した場合には、水受槽５３が下方突出レバー５４を図中の右方向へ押しつけ、下方突出レバー５４が右方向へ動く。この時、下方突出レバー５４は回転支持点５５を中心に左回転して、開閉レバー部５８は図中の左方向へ動き、スイッチ接点板５７の凸部６１を図中下方へ押しやり、接点６０を開き、洗濯機の脱水運転を停止する。
【先行技術文献】
【特許文献】
【０００８】
【特許文献１】特開２００２−３５４７４号公報
【発明の概要】
【発明が解決しようとする課題】
【０００９】
しかしながら、前記従来の構成では、水受槽は衣類の片寄りなどによって、脱水回転方向に円運動しながら前後左右に動くというように複雑な動きをするが、一方向にしか振動検知手段の下方突出レバーが動かないために、下方突出レバーの動作方向に対して斜め方向に水受槽が動いた場合には、振動検知手段が作動せずに水受槽の振動が大きくなったり、あるいは、わずかな衣類の片寄りでも振動検知手段が作動して脱水が停止したりするという課題を有していた。
【００１０】
本発明は、前記従来の課題を解決するもので、衣類の片寄りが大きく水受槽の異常振動が生じたときに、水受槽がどの方向に異常振動しても確実に脱水を停止させる振動検知手段を有する洗濯機を提供することを目的とする。
【課題を解決するための手段】
【００１１】
前記従来の課題を解決するために、本発明の洗濯機は、本体と、洗濯物を収容する洗濯兼脱水槽と、前記洗濯兼脱水槽を回転自在に内包し、前記本体より防振機構にて垂下防振支持された有底円筒状の水受槽と、前記本体上部に設け前記水受槽の振動を検知する振動検知手段とを備え、前記振動検知手段は、電気接点部と、前記電気接点部を内包するスイッチケースと、前記電気接点部を入り切りするスイッチレバーと、前記スイッチレバーに設けた球面部と、前記球面部と摺動し前記スイッチケースに設けた球面状の受け部とを有し、前記スイッチレバーは、前記水受槽の外周上部に設けたレバー操作部によって回動されることにより前記電気接点部を入り切りするようにしたものである。
【００１２】
これによって、衣類の片寄りが大きく水受槽が所定値を超える振動をしたときに、水受槽がどの方向に異常振動しても確実に脱水を停止させることができるので、高い安全性を発揮することができる。
【発明の効果】
【００１３】
本発明の洗濯機は、水受槽の異常振動を確実に検知して運転停止することで、高い安全性を発揮することができる。
【図面の簡単な説明】
【００１４】
【図１】本発明の実施の形態１における洗濯機の縦断面図
【図２】同洗濯機の振動検知手段の要部断面図
【図３】同洗濯機の振動検知手段動作時の要部断面図
【図４】本発明の実施の形態２における洗濯機の振動検知手段の要部断面図
【図５】従来の洗濯機の振動検知手段の平面図と縦断面図
【発明を実施するための形態】
【００１５】
第１の発明は、本体と、洗濯物を収容する洗濯兼脱水槽と、前記洗濯兼脱水槽を回転自在に内包し、前記本体より防振機構にて垂下防振支持された有底円筒状の水受槽と、前記本体上部に設け前記水受槽の振動を検知する振動検知手段とを備え、前記振動検知手段は、電気接点部と、前記電気接点部を内包するスイッチケースと、前記電気接点部を入り切りするスイッチレバーと、前記スイッチレバーに設けた球面部と、前記球面部と摺動し前記スイッチケースに設けた球面状の受け部とを有し、前記スイッチレバーは、前記水受槽の外周上部に設けたレバー操作部によって回動されることにより前記電気接点部を入り切りするようにしたことにより、水受槽が所定値を超える振動を発生して水受槽がどの方向に異常振動しても、スイッチレバーを確実に押せるようにすることで、確実に振動を検知して脱水を停止することができ、高い安全性を発揮できる。
【００１６】
第２の発明は、特に、第１の発明のレバー操作部は、前記水受槽の外周上部で前記スイッチレバーの周囲に設けたことにより、水受槽の所定値を超える多方向の振動を確実に検知して脱水を停止することができ、高い安全性を発揮できる。
【００１７】
第３の発明は、特に、第１または第２のいずれかの発明のスイッチレバーは、前記レバー操作部が当接する当接部材を前記スイッチレバーと弾性部材で結合したことにより、水受槽が異常な振動を発生した時に、振動検知手段に過剰な力がかからず、振動検知手段の故障を防ぎ、高い安全性を保持することができる。
【００１８】
第４の発明は、特に、第１〜３のいずれか１つの発明のスイッチレバーには、前記レバー操作部が当接する緩衝部材を設けたことにより、水受槽が異常な振動を発生した時に、衝突音を低減し、振動検知手段の故障を防ぎ、高い安全性を保持することができる。
【００１９】
以下、本発明の実施の形態について、図面を参照しながら説明する。なお、本実施の形
態によって本発明が限定されるものではない。
【００２０】
（実施の形態１）
図１は、本発明の実施の形態１における洗濯機の縦断面図を示すものである。
【００２１】
図１において、本体１は、内部に有底円筒状の水受槽２を防振機構３により垂下防振支持し、水受槽２に洗濯兼脱水槽４を回転自在に内包している。また、洗濯兼脱水槽４の底部には衣類撹拌用の撹拌翼２９が回転自在に配されており、この撹拌翼２９、および洗濯兼脱水槽４は、水受槽２の外底部に設けたモータ５により回転駆動される。
【００２２】
本体１の上部には、中央部に洗濯兼脱水槽４内を臨む洗濯物投入口３０を形成した上部枠体６を装着しており、この洗濯物投入口３０を開閉自在に覆うように、蓋１６が配設されている。
【００２３】
上部枠体６の後部内方に、振動検知手段が設けられ、振動検知手段には、振動検知スイッチ７と、振動検知スイッチ７の下部には水受槽２の異常振動を検知して、振動検知スイッチ７を作動させるスイッチレバー８を上部枠体６の下方に突出して設けている。
【００２４】
水受槽２の外周上部には、スイッチレバー８の周囲にレバー操作部１７を設けている。即ち、水受槽２上部の開放端縁部には、外周方向へ平面上のレバー操作部１７を延設しており、このレバー操作部１７に穿設した動作空間部３６内に、振動検知スイッチ７のスイッチレバー８を構成する下方突出レバー１２に嵌着された緩衝部材１９が位置するようになっている。なお、振動検知手段回りの構成については、図２を用いて後述する。
【００２５】
上部枠体６の前面部には、使用者が運転コースなどの入力設定を行ない、その入力情報を表示する操作表示部３３が設けられ、操作表示部３３の内方部には、運転行程を制御する制御手段（図示せず）を有する制御装置３２が配設されている。
【００２６】
図２は、本発明の実施の形態１における洗濯機の振動検知手段の要部断面図を示すものである。
【００２７】
図２において、振動検知スイッチ７は、制御装置３２に接続された電気接点部である可動接点板９と固定接点板１０、および、可動接点板９と固定接点板１０を支持するスイッチケース１１を有している。
【００２８】
可動接点板９の上部に固定接点板１０が配置されており、可動接点板９が上に上がると固定接点板１０に接触して脱水運転可能状態となり、可動接点板９が下に下がると固定接点板１０と離れることで脱水運転不可状態となるように振動検知スイッチ７が構成されている。
【００２９】
スイッチレバー８は、水受槽２の異常振動を検知して振動検知スイッチ７を作動させるもので、振動検知スイッチ７と一体に組立てられており、可動接点板９の下方に配置してある。
【００３０】
スイッチレバー８は、上部のスイッチ開閉レバー１３、下部の下方突出レバー１２、およびスイッチ開閉レバー１３と下方突出レバー１２との間に形成した下面が球面状の球面部１４で構成されており、スイッチケース１１に形成した球面状の受け部１５に球面部１４が乗り、摺動自在な状態で配置されている。
【００３１】
受け部１５と球面部１４は球面同士で摺動可能な状態になっているので、スイッチレバ
ー８は球面部１４を支点にしてどの方向にも回動する構成となっている。
【００３２】
また、可動接点板９が固定接点板１０に接触している時は、可動接点板９下面に設けた凸部３１がスイッチレバー８のスイッチ開閉レバー１３の上端部に乗った状態となっている。
【００３３】
スプリング１８は、スイッチケース１１下面と下方突出レバー１２に形成したスプリング受け２８との間に圧縮されて設けられており、スイッチレバー８を下方に付勢している。
【００３４】
また、緩衝部材１９は下方突出レバー１２に嵌着し、水受槽２に形成したレバー操作部１７の動作空間部３６との隙間調整と衝突音を低減するために設けられている。
【００３５】
以上のように構成した洗濯機について、以下、その動作、作用を説明する。
【００３６】
図３は、本発明の実施の形態１における洗濯機の振動検知手段動作時の要部断面図を示すものである。
【００３７】
図３において、脱水行程開始時に、洗濯兼脱水槽４内の衣類の片寄りにより水受槽２の振動が大きくなると、水受槽２がレバー操作部１７の動作空間部３６に位置する緩衝部材１９を介して下方突出レバー１２を押す。
【００３８】
この時、緩衝部材１９がゴムや軟質塩化ビニールなどの緩衝部材であるために水受槽２のレバー操作部１７が下方突出レバー１２に当たる時の音を軽減できる。
【００３９】
そして、下方突出レバー１２が押されると、球面部１４を支点にスイッチ開閉レバー１３も回動し、水受槽２の振動が大きくなると、スイッチ開閉レバー１３の上端部が可動接点板９の凸部３１から外れ、可動接点板９が下に下がるので固定接点板１０と離れ振動検知スイッチ７がＯＦＦとなり、脱水運転が停止する。
【００４０】
レバー操作部１７は、動作空間部３６が下方突出レバー１２を囲うように設けられており、また、球面部１４と受け部１５は球面同士で摺動可能となっているので、水受槽２がどの方向に振れても下方突出レバー１２は押され、確実に異常振動を検知して振動検知スイッチ７が作動し、脱水運転を停止することができる。
【００４１】
なお、緩衝部材１９と動作空間部３６の隙間は全周同じでなくともかまわず、水受槽２と本体１の隙間が横方向で狭い場合は、緩衝部材１９と動作空間部３６の横方向の隙間を小さくすることで水受槽２が本体１に当たることを防止することができる。
【００４２】
以上のように、水受槽の所定値を超える振動を下方突出レバーにて検知して、スイッチ開閉レバーにて振動検知手段のスイッチケースに設けた電気接点部を入り切りするスイッチレバーを備え、スイッチレバーは、スイッチ開閉レバーの下部に形成した下面が球面状の球面部を、スイッチケースに形成した球面状の受け部と摺動自在にしたことにより、スイッチレバーは多様な方向に傾斜することが可能となり、また、どの方向へ傾斜しても電気接点部を入り切りすることが可能となる。
【００４３】
従って、水受槽が所定値を超える振動を発生してあらゆる方向からスイッチレバーを押しても、確実に検知して脱水を停止することができ、高い安全性を発揮できる。
【００４４】
また、レバー操作部を下方突出レバーの周囲に設け、下方突出レバーは、水受槽のレバ
ー操作部に穿設した動作空間部内に位置したことにより、水受槽の所定値を超える振動を確実に検知して脱水を停止することができ、高い安全性を発揮できる。
【００４５】
（実施の形態２）
図４は、本発明の第２の実施の形態における洗濯機の振動検知手段の要部断面図である。なお、上記実施の形態１と同じ構成のものは、同一符号を付し、詳細な説明は省略する。
【００４６】
図４において、スイッチレバー３８は、レバー操作部１７が当接する当接部材２０をスイッチレバー３８と弾性部材で結合している。具体的には、スイッチレバー３８は、上部のスイッチ開閉レバー１３、下部の下方突出レバー３７、スイッチ開閉レバー１３と下方突出レバー３７との間に形成した球面部１４、および、下方突出レバー３７の下方に設けられ、連結スプリング２１によって下方突出レバー３７と連結された当接部材２０にて構成されている。
【００４７】
なお、連結スプリング２１は、上部を下方突出レバー３７下端の下端連結部３４に巻着され、隙間３９を介して、下部を当接部材２０上端の上端連結部３５に巻着されている。
【００４８】
また、当接部材２０には、水受槽２に形成したレバー操作部１７の動作空間部３６との隙間調整と衝突音を低減するための緩衝部材１９が嵌着されている。
【００４９】
以上の構成にて、脱水行程開始時に、洗濯兼脱水槽４内の衣類の片寄りにより水受槽２の振動が大きくなり、水受槽２がレバー操作部１７の動作空間部３６に位置する緩衝部材１９を介して当接部材２０を押すと、連結されている下方突出レバー３７の球面部１４を支点にスイッチ開閉レバー１３も回動し、水受槽２の振動が大きくなると、スイッチ開閉レバー１３の上端部が可動接点板９の凸部３１から外れ、可動接点板９が下に下がるので固定接点板１０と離れ振動検知スイッチ７がＯＦＦとなり、脱水運転が停止する。
【００５０】
そして、衣類の異常な片寄りにより、さらに大きく水受槽２が振れると、連結スプリング２１は弾性体であり、力が加わると隙間３９部分にて曲がるようになっているので、連結スプリング２１が変形することによって、下方突出レバー３７に過度の力がかかるのを防ぎ、スイッチレバー３８の破損を防止することができ、振動検知手段の信頼性を高めることができる。
【００５１】
以上のように、スイッチレバーは、下方突出レバーの下方に、水受槽に形成したレバー操作部の動作空間部内に位置する当接部材を配設し、下方突出レバー下端の下端連結部と当接部材上端の上端連結部を、所定の隙間を介して連結スプリングを巻装して連結したことにより、水受槽が異常な振動を発生した時に、振動検知手段に過剰な力がかからず、振動検知手段の故障を防ぎ、高い安全性を保持することができる。
【産業上の利用可能性】
【００５２】
以上のように、本発明にかかる洗濯機は、水受槽の異常振動を確実に検知することが可能な振動検知手段を有するので、振動検知手段を有する他の家庭用機器の用途に適用できる。
【符号の説明】
【００５３】
１  本体
２  水受槽
３  防振機構
４  洗濯兼脱水槽
８、３８  スイッチレバー
１１  スイッチケース
１４  球面部
１５  受け部
１７  レバー操作部
１９  緩衝部材
２０  当接部材
２１  連結スプリング（弾性部材）
【図１】
2014064648.tif 000003
【図２】
2014064648.tif 000004
【図３】
2014064648.tif 000005
【図４】
2014064648.tif 000006
【図５】
2014064648.tif 000007